(57)【要約】【課題】アナログ放送に愛着のある視聴者の要求を満たすことが可能なデジタル／アナログ放送受信機を提供する。【解決手段】アナログ放送が受信不能である場合に、アナログ放送の局について受信有無確認のサーチを行うか否かの選択を視聴者に行わせ、この選択が行われると、アナログ放送の全チャンネルについてサーチを行い、全チャンネルが受信不能の場合は、再度サーチを実行するかデジタル受信モードへ切り替えるかを視聴者に選択させ、再度のサーチが選択されてサーチをした結果、受信不能である場合は、アナログ放送の停波を通知するメッセージとデジタル受信モードに切り替えるか否かの選択を促すメッセージとを画面に表示し、デジタル受信モードへの切り替えが選択された場合に、デジタル放送の選局を実行する。【選択図】図３
2008154162.tif 000002
【特許請求の範囲】
【請求項１】
デジタル放送のチャンネル情報を記憶したデジタルチャンネルメモリと、アナログ放送のチャンネル情報を記憶したアナログチャンネルメモリとを備え、デジタル放送とアナログ放送の両放送を受信可能なデジタル／アナログ放送受信機であって、
アナログ受信モードの選局時において、前記アナログチャンネルメモリに記憶されているチャンネルでありながら受信不能と判定された場合に、局無しチャンネルであることを画面に表示するとともに、アンテナが正しく接続されているか否かの確認を促すメッセージ、およびアナログ放送の局について受信有無確認のサーチを行うか否かの選択を促すメッセージを画面に表示し、
受信有無確認のサーチを行うことが選択された場合に、前記アナログチャンネルメモリに記憶されている全チャンネルについてサーチを行い、全チャンネルが受信不能と判定されると、アンテナが正しく接続されているか否かの確認を促すメッセージ、再度の受信有無確認のサーチを行うか否かの選択を促すメッセージ、およびデジタル受信モードに切り替えるか否かの選択を促すメッセージを画面に表示し、
再度の受信有無確認のサーチを行うことが選択された場合に、前記アナログチャンネルメモリに記憶されている全チャンネルについてのサーチを所定回数繰り返し、所定回数サーチを実行しても受信できるチャンネルが見つからないときは、アナログ放送の停波を通知するメッセージを画面に表示するとともに、デジタル受信モードに切り替えるか否かの選択を促すメッセージを画面に表示し、
デジタル受信モードへの切り替えが選択された場合は、デジタル放送の受信を優先させるデジタル優先モードに設定してデジタル放送の選局を実行し、選局の結果受信不能と判定されると、前記デジタルチャンネルメモリに記憶されている全チャンネルについてサーチを行い、全チャンネルが受信不能と判定されると、アンテナが正しく接続されているか否かの確認を促すメッセージ、およびアナログ受信モードに切り替えることを通知するメッセージを画面に表示して、デジタル優先モードを解除することを特徴とするデジタル／アナログ放送受信機。
【請求項２】
デジタル放送のチャンネル情報を記憶したデジタルチャンネルメモリと、アナログ放送のチャンネル情報を記憶したアナログチャンネルメモリとを備え、デジタル放送とアナログ放送の両放送を受信可能なデジタル／アナログ放送受信機であって、
アナログ受信モードの選局時において、前記アナログチャンネルメモリに記憶されているチャンネルでありながら受信不能と判定された場合に、アナログ放送の局について受信有無確認のサーチを行うか否かの選択を促すメッセージを画面に表示し、
受信有無確認のサーチを行うことが選択された場合に、前記アナログチャンネルメモリに記憶されている全チャンネルについてサーチを行い、全チャンネルが受信不能と判定されると、再度の受信有無確認のサーチを行うか否かの選択を促すメッセージ、およびデジタル受信モードに切り替えるか否かの選択を促すメッセージを画面に表示し、
再度の受信有無確認のサーチを行うことが選択された場合は、前記アナログチャンネルメモリに記憶されている全チャンネルについてのサーチを行い、サーチを実行しても受信できるチャンネルが見つからないときは、アナログ放送の停波を通知するメッセージを画面に表示するとともに、デジタル優先モードに切り替えるか否かの選択を促すメッセージを画面に表示し、
デジタル受信モードへの切り替えが選択された場合は、デジタル放送の選局を実行することを特徴とするデジタル／アナログ放送受信機。
【請求項３】
請求項２に記載のデジタル／アナログ放送受信機において、
前記デジタル放送の選局を実行した結果、受信不能と判定されると、前記デジタルチャンネルメモリに記憶されている全チャンネルについてサーチを行い、全チャンネルが受信不能と判定されると、アナログ受信モードに切り替えることを通知するメッセージを画面に表示して、デジタル受信モードを解除することを特徴とするデジタル／アナログ放送受信機。
【発明の詳細な説明】
【技術分野】
【０００１】
本発明は、デジタル放送とアナログ放送の両放送を受信可能なデジタル／アナログ放送受信機に関する。
【背景技術】
【０００２】
地上波デジタル放送が２００３年から開始され、２０１１年にはアナログ放送が全面的に停止されて、全ての放送がデジタル放送に移行することが予定されている。そして、２０１１年までは、デジタル放送とアナログ放送とが併用されることとなり、同じ番組をデジタル放送とアナログ放送のいずれでも視聴できるサイマルキャスト方式が採用されている。このため、両放送を受信できるデジタル／アナログ放送受信機が市場に提供されている。後掲の特許文献１〜４には、このようなデジタル／アナログ放送受信機が開示されている。
【０００３】
特許文献１では、アナログ放送の終了時期において、アナログ放送の停波後も従来通りの番組が視聴できるように、デジタル放送側の放送チャンネルに移行するようにメッセージを表示し、あるいは、地上波アナログ放送の放送チャンネルを地上波デジタル放送側の放送チャンネルに自動的に変えることにより、アナログ放送の停波後における視聴者の混乱を防ぐようにしている。
【０００４】
特許文献２では、一方の放送方式によるテレビジョン放送信号の受信状態が悪化して不適当となった場合に、自動的に他の放送方式によるテレビジョン放送信号の受信状態に切り替えることで、常に放送内容が失われないようにしている。
【０００５】
特許文献３では、デジタルチューナでチャンネルサーチを実行して、プリセット済みのアナログ放送チャンネルと同じチャンネルに放送信号が存在することが判別されたら、そのアナログチャンネルのプリセットを解除することで、無駄なプリセットを無くすようにし、また、アナログチューナでチャンネルサーチを実行して、プリセット済みのチャンネル以外のチャンネルで放送信号が検出されたら、そのチャンネルのプリセットを視聴者に実行させ、さらに、必要に応じて地域対応チャンネルデータを更新することで、簡単な操作により実際の放送に即したチャンネルプリセットを実行できるようにしている。
【０００６】
特許文献４では、ユーザによるチャンネル変更操作時に、その指定のチャンネルが放送されておらず選局失敗になったとき、自動的に適宜のチャンネルを選局するようにして、画面に何も表示されない状態になることを防止するようにしている。
【０００７】
【特許文献１】特開２００４−３２０４４９号公報
【特許文献２】特開平４−３６９１８９号公報
【特許文献３】特開２００４−１２０４７５号公報
【特許文献４】特開２００２−２３２７９３号公報
【発明の開示】
【発明が解決しようとする課題】
【０００８】
アナログ放送を受信する場合、山間部のような電波の受信環境がよくない場所においては、しばしば放送を受信できないことがある。この場合、例えば特許文献２のように、自動的にアナログ放送からデジタル放送に切り替えることも可能であるが、アナログ放送が受信不能となった原因には、たまたま電波の電界強度が低下した時に選局が行われたことや、アンテナが正しく接続されていなかったことなども考えられる。また、視聴者の中には、同じ番組でもデジタル放送よりはアナログ放送で視聴したいという要求もある。したがって、アナログ放送が受信不能となったときに、直ちにデジタル放送に切り替えたのでは、アナログ放送に愛着のある視聴者の要求を満たせないことになる。
【０００９】
本発明は、上述した課題を解決するものであって、その目的とするところは、アナログ放送が受信できなくなったときに、直ちにデジタル放送に移行するのではなく、アナログ放送が受信可能となるためのいくつかの処理を実行し、どうしてもアナログ放送が受信できない場合に限り、デジタル放送に移行するようにしたデジタル／アナログ放送受信機を提供することにある。
【課題を解決するための手段】
【００１０】
本発明は、デジタル放送のチャンネル情報を記憶したデジタルチャンネルメモリと、アナログ放送のチャンネル情報を記憶したアナログチャンネルメモリとを備え、デジタル放送とアナログ放送の両放送を受信可能なデジタル／アナログ放送受信機であって、アナログ受信モードの選局時において、アナログチャンネルメモリに記憶されているチャンネルでありながら受信不能と判定された場合に、アナログ放送の局について受信有無確認のサーチを行うか否かの選択を促すメッセージを画面に表示する。そして、受信有無確認のサーチを行うことが選択された場合に、アナログチャンネルメモリに記憶されている全チャンネルについてサーチを行い、全チャンネルが受信不能と判定されると、再度の受信有無確認のサーチを行うか否かの選択を促すメッセージ、およびデジタル受信モードに切り替えるか否かの選択を促すメッセージを画面に表示する。再度の受信有無確認のサーチを行うことが選択された場合は、アナログチャンネルメモリに記憶されている全チャンネルについてのサーチを行い、サーチを実行しても受信できるチャンネルが見つからないときは、アナログ放送の停波を通知するメッセージを画面に表示するとともに、デジタル受信モードに切り替えるか否かの選択を促すメッセージを画面に表示する。デジタル受信モードへの切り替えが選択された場合は、デジタル放送の選局を実行する。
【００１１】
本発明においては、アナログ放送が受信不能である場合に、アナログ放送の局について受信有無確認のサーチを行うか否かの選択を視聴者に行わせ、この選択が行われると、アナログ放送の全チャンネルについてサーチを行い、全チャンネルが受信不能の場合は、再度サーチを実行するかデジタル受信モードへ切り替えるかを視聴者に選択させ、再度のサーチが選択されてサーチをした結果、受信不能である場合は、アナログ放送の停波を通知するメッセージとデジタル受信モードに切り替えるか否かの選択を促すメッセージとを画面に表示し、デジタル受信モードへの切り替えが選択された場合に、デジタル放送の選局を実行するようにしている。このため、アナログ放送が受信できなくなった場合でも、直ちにデジタル放送に移行することはなく、アナログ放送が受信可能となるためのいくつかの処理を実行し、どうしてもアナログ放送が受信できない場合に限り、デジタル放送に移行するので、アナログ放送に愛着のある視聴者の要求を満たすことが可能となる。
【００１２】
本発明においては、デジタル放送の選局を実行した結果、受信不能と判定されると、デジタルチャンネルメモリに記憶されている全チャンネルについてサーチを行い、全チャンネルが受信不能と判定されると、アナログ受信モードに切り替えることを通知するメッセージを画面に表示して、デジタル受信モードを解除するようにしてもよい。これによると、デジタル放送のチャンネルが全て受信不能である場合は、デジタル受信モードを解除して、自動的にアナログ受信モードに切り替えることができる。
【００１３】
本発明においては、アナログ受信モードの選局時に受信不能と判定された場合や、受信有無確認のサーチで受信不能と判定された場合に、アンテナが正しく接続されているか否かの確認を促すメッセージをあわせて表示するのが好ましい。アンテナが接続不良の場合は、アンテナを正しく接続することで、アナログ放送の受信が可能となる。
【００１４】
また、本発明においては、受信有無確認のサーチが選択された場合、アナログチャンネルメモリに記憶されている全チャンネルについてのサーチを所定回数繰り返すのが好ましい。サーチを所定回数繰り返すことで、アナログ放送の受信の可能性を高めることができる。
【発明の効果】
【００１５】
本発明によれば、アナログ放送が受信できなくなった場合に、視聴者に選択の余地を持たせ、アナログ放送が受信可能となるためのいくつかの処理を実行し、どうしてもアナログ放送が受信できない場合に限りデジタル放送に移行するようにしたので、アナログ放送に愛着のある視聴者の要求を満たすことが可能なデジタル／アナログ放送受信機を提供することができる。
【発明を実施するための最良の形態】
【００１６】
以下、本発明の実施形態につき、図面を参照しながら説明する。図１は、本発明の実施形態によるアナログ放送とデジタル放送の双方が受信可能なテレビジョン受像機１００のブロック図である。
【００１７】
１は放送電波を受信するアンテナ、２はアナログ放送のチャンネルの選局を行うアナログチューナ、３はアナログチューナ２で選局されたチャンネルの信号を処理するアナログ信号処理部である。４はデジタル放送のチャンネルの選局を行うデジタルチューナ、５はデジタルチューナ４で選局されたチャンネルの信号を処理するデジタル信号処理部である。ここでは、アナログ用とデジタル用の２つのチューナ２，４を設けているが、アナログ／デジタル共用のチューナを１つ設けてもよい。６はアナログ放送とデジタル放送を切り替えるためのスイッチ、７はアナログ信号処理部３またはデジタル信号処理部５からの出力信号に基づいて映像を表示するモニタである。なお、図１では、音声ブロックや偏向ブロックの図示は省略してある。
【００１８】
８はテレビジョン受像機１００に所定の動作を行わせるために操作するリモコン、９はリモコン８から送信される信号を受信するリモコン受信部である。１０は制御部を構成するマイクロコンピュータであって、アナログチューナ２、アナログ信号処理部３、デジタルチューナ４、デジタル信号処理部５、スイッチ６の各ブロックを制御する。１１は記憶部を構成するメモリであって、アナログ放送のチャンネル情報を記憶したアナログチャンネルメモリ１２と、デジタル放送のチャンネル情報を記憶したデジタルチャンネルメモリ１３とを備えている。これらのチャンネルメモリ１２，１３は、独立したメモリであってもよいし、１つのメモリで構成されたものであってもよい。アナログチャンネルメモリ１２には、リモコン８のボタン番号に対応してアナログ放送のチャンネル番号が記憶されており、デジタルチャンネルメモリ１３には、リモコン８のボタン番号に対応してデジタル放送のチャンネル番号が記憶されている。
【００１９】
図２Ａ、図２Ｂは、上述したテレビジョン受像機１００の動作を示すフローチャートである。以下、このフローチャートを参照しながら、テレビジョン受像機１００の動作について説明する。
【００２０】
ステップＳ１において、リモコン８を操作してテレビジョン受像機１００の電源をオン状態にし（Ｐ−ＯＮ）、放送モードをアナログ受信モードに設定して、選局を開始すると、ステップＳ２で、受信状態に基づいて局有りか否かが判定される。受信状態が正常な場合は、局有りと判定され（ステップＳ２：ＹＥＳ）、ステップＳ３以下の処理を行うことなく、通常の受信動作を行う。一方、選局されたチャンネルがアナログチャンネルメモリ１２に記憶されているチャンネルであるにも拘わらず、受信不能と判定された場合は、局無しと判定され（ステップＳ２：ＮＯ）、ステップＳ３へ移行する。
【００２１】
ステップＳ３では、図３（ａ）に示すようなメッセージをモニタ７の画面に表示する。この画面には、アナログチャンネルが受信できないこと（局無しチャンネルであること）を知らせるメッセージと、アンテナ１が正しく接続されているか否かの確認を促すメッセージと、アナログ放送の局について受信有無確認のサーチを行うか否かの選択を促すメッセージとが表示される。受信有無確認サーチを行う場合は「はい」を選択し、受信有無確認サーチを行わない場合は「いいえ」を選択する。「はい」が選択されると（ステップＳ４：ＹＥＳ）、ステップＳ５へ進んで、カウンタ値ＮをＮ＝１とする。「いいえ」が選択されると（ステップＳ４：ＮＯ）、ステップＳ６へ進んで、受信モードをアナログ受信モードにしたまま、図３（ａ）の画面の警告表示を解除する。
【００２２】
ステップＳ５でカウンタ値ＮをＮ＝１とした後、ステップＳ７に進んで、アナログチャンネルメモリ１２に記憶されている全てのチャンネルにつき、受信有無確認サーチを実行する。そして、サーチの結果、受信可能なチャンネル（局有りチャンネル）があるか否かを判定する（ステップＳ８）。受信可能なチャンネルがある場合は（ステップＳ８：ＹＥＳ）、局有りとなった最小チャンネルを選局して、アナログチャンネルメモリ１２のデータを更新する（ステップＳ９）。一方、どのチャンネルも受信不能な場合は（ステップＳ８：ＮＯ）、ステップＳ１０へ進んで、カウンタ値ＮをＮ＝Ｎ＋１（今の場合、Ｎ＝２）とする。続くステップＳ１１では、カウンタ値ＮがＮ≧３となっているか否かを判定し、Ｎ≧３でなければ（ステップＳ１１：ＮＯ）、ステップＳ１２へ進み、Ｎ≧３であれば（ステップＳ１１：ＹＥＳ）、サーチを３回繰り返しても受信できるチャンネルが見つからないと判断して、ステップＳ１４へ進む。
【００２３】
ステップＳ１２では、図３（ｂ）に示すようなメッセージをモニタ７の画面に表示する。この画面には、アナログチャンネルが受信できないこと（局無しチャンネルであること）を知らせるメッセージと、アンテナ１が正しく接続されているか否かの確認を促すメッセージと、アナログ放送の局について再度の受信有無確認のサーチを行うか否かの選択を促すメッセージと、デジタル受信モードに切り替えるか否かの選択を促すメッセージが表示される。受信有無確認サーチを行う場合は「はい」を選択し、受信有無確認サーチを行わない場合は「いいえ」を選択する。また、デジタル受信モードに切り替える場合は「はい」を選択する。受信有無確認サーチに対して「はい」が選択されると（ステップＳ１３：ＹＥＳ）、前述のステップＳ７が実行され、「いいえ」が選択されると（ステップＳ１３：ＮＯ）、ステップＳ１５へ移行する。
【００２４】
ステップＳ１４では、図３（ｃ）に示すようなメッセージをモニタ７の画面に表示する。この画面には、アナログ放送の停波を通知するメッセージと、デジタル受信モードに切り替えるか否かの選択を促すメッセージとが表示される。デジタル受信モードに切り替える場合は「はい」を選択し、デジタル受信モードに切り替えない場合は「いいえ」を選択する。
【００２５】
図３（ｂ）または図３（ｃ）の画面で、デジタル受信モードへの切り替えに対して「はい」が選択されると（ステップＳ１５：ＹＥＳ）、ステップＳ１７へ進み、「いいえ」が選択されると（ステップＳ１５：ＮＯ）、ステップＳ１６で受信モードをアナログ受信モードにしたまま、画面の警告表示を解除する。
【００２６】
ステップＳ１７では、受信モードをデジタル優先モードに設定する。デジタル優先モードでは、テレビジョン受像機１００の電源オン時に、受信モードが強制的にデジタル受信モードに設定される。また、デジタル受信モードからアナログ受信モードへの移行が制限され、例えばリモコン８の放送切替キーを一定時間以上押さないとアナログ受信モードへ移行できなくなる。
【００２７】
次に、ステップＳ１８において、デジタルチャンネルメモリ１３にデジタル放送のチャンネルがあるか否かを判定し、チャンネルがある場合は（ステップＳ１８：ＹＥＳ）、ステップＳ１９へ進んで選局を行う。そして、選局の結果、受信可能なチャンネル（局有りチャンネル）の場合は（ステップＳ２０：ＹＥＳ）、ステップＳ２１以下の処理を行うことなく、通常の受信動作を行う。一方、受信不能なチャンネル（局無しチャンネル）の場合は（ステップＳ２０：ＮＯ）、ステップＳ２１へ進んで、デジタルチャンネルメモリ１３に記憶されている全チャンネルについてサーチを行い、受信できるチャンネルの有無を判定する（ステップＳ２２）。その結果、受信できるチャンネルがあれば（ステップＳ２２：ＹＥＳ）、デジタルチャンネルメモリ１３のデータを更新して（ステップＳ２３）、通常の受信動作を行う。また、全チャンネルが受信不能と判定されると（ステップＳ２２：ＮＯ）、ステップＳ２４へ移行する。
【００２８】
ステップＳ２４では、図３（ｄ）に示すようなメッセージをモニタ７の画面に表示する。この画面には、デジタルチャンネルが受信できないこと（局無しチャンネルであること）を知らせるメッセージと、アンテナ１が正しく接続されているか否かの確認を促すメッセージと、アナログ受信モードに切り替えることを通知するメッセージとが表示される。そして、これらの警告表示を行った後、デジタル優先モードが解除され（ステップＳ２５）、受信モードがアナログ受信モードに切り替わる。
【００２９】
このように、上述した上記実施形態においては、アナログ放送が受信不能である場合に、アナログ放送の局について受信有無確認のサーチを行うか否かの選択を視聴者に行わせ、この選択が行われると、アナログ放送の全チャンネルについてサーチを行い、全チャンネルが受信不能の場合は、再度サーチを実行するかデジタル受信モードへ切り替えるかを視聴者に選択させ、再度のサーチが選択されてサーチをした結果、受信不能である場合は、アナログ放送の停波を通知するメッセージとデジタル受信モードに切り替えるか否かの選択を促すメッセージとを画面に表示し、デジタル受信モードへの切り替えが選択された場合に、デジタル放送の選局を実行するようにしている。このため、アナログ放送が受信できなくなった場合でも、直ちにデジタル放送に移行することはなく、アナログ放送が受信可能となるためのいくつかの処理を実行し、どうしてもアナログ放送が受信できない場合に限り、デジタル放送に移行するので、アナログ放送に愛着のある視聴者の要求を満たすことが可能となる。
【００３０】
また、上記実施形態では、デジタル放送の選局を実行した結果、受信不能と判定されると、デジタルチャンネルメモリに記憶されている全チャンネルについてサーチを行い、全チャンネルが受信不能と判定されると、アナログ受信モードに切り替えることを通知するメッセージを画面に表示して、デジタル受信モードを解除するようにしているので、デジタル放送のチャンネルが全て受信不能である場合は、デジタル受信モードを解除して、自動的にアナログ受信モードに切り替えることができる。
【００３１】
また、上記実施形態では、アナログ受信モードの選局時に受信不能と判定された場合や、受信有無確認のサーチで受信不能と判定された場合に、アンテナ１が正しく接続されているか否かの確認を促すメッセージをあわせて表示するようにしたので、視聴者はアンテナ１の接続を確認し、アンテナ１が接続不良の場合は、アンテナ１を正しく接続することで、アナログ放送の受信が可能となる。
【００３２】
さらに、上記実施形態では、受信有無確認のサーチが選択された場合、アナログチャンネルメモリ１２に記憶されている全チャンネルについてのサーチを所定回数（ここでは３回）繰り返すようにしたので、アナログ放送の受信の可能性を高めることができる。
【００３３】
なお、アナログ放送の受信確認において、正常に受信できたか否かの判定を行うにあたっては、例えば、コンポジット信号中の同期信号のパルス数が一定時間内に所定数以上あるか否か、および、映像信号と偏向系の周波数を生成するカウンタとの同期が取れているか否かの２つの条件により判定するのが好ましい。これにより、アナログ放送の受信状態をより正確に判別することができる。但し、これは本発明にとって必須ではなく、いずれか一方の条件によりアナログ放送の受信確認を行うことも可能である。
【図面の簡単な説明】
【００３４】
【図１】本発明の実施形態によるテレビジョン受像機のブロック図である
【図２Ａ】テレビジョン受像機の動作を示すフローチャートである。
【図２Ｂ】テレビジョン受像機の動作を示すフローチャートである。
【図３】モニタに表示されるメッセージの例である。
【符号の説明】
【００３５】
１    アンテナ
２    アナログチューナ
３    アナログ信号処理部
４    デジタルチューナ
５    デジタル信号処理部
６    スイッチ
７    モニタ
８    リモコン
９    リモコン受信部
１０  マイクロコンピュータ
１１  メモリ
１２  アナログチャンネルメモリ
１３  デジタルチャンネルメモリ
１００  テレビジョン受像機
【図１】
2008154162.tif 000003
【図２Ａ】
2008154162.tif 000004
【図２Ｂ】
2008154162.tif 000005
【図３】
2008154162.tif 000006